(57)【特許請求の範囲】
【請求項１】
プレゼンティティのプレゼンス情報をウォッチャが使用する端末に通知可能なプレゼンスサーバであって、
前記プレゼンティティが使用する端末から、前記プレゼンティティの前記ウォッチャに対する評価を示すウォッチャ情報を受信する受信手段と、
前記受信手段が受信したウォッチャ情報に応じて、前記プレゼンティティの前記ウォッチャに対する第一親密度を求め、該第一親密度を、前記ウォッチャの端末に送信する制御手段と、を含むプレゼンスサーバ。
【請求項２】
請求項１に記載のプレゼンスサーバにおいて、
前記受信手段は、前記ウォッチャの端末から、前記ウォッチャの前記プレゼンティティに対する評価を示すプレゼンティティ情報を受信し、
前記制御手段は、前記受信手段が受信したプレゼンティティ情報に応じて、前記ウォッチャの前記プレゼンティティに対する第二親密度を求め、該第二親密度を、前記プレゼンティティの端末に送信する、プレゼンスサーバ。
【請求項３】
請求項２に記載のプレゼンスサーバにおいて、
前記プレゼンス情報を記憶する記憶手段と、
前記制御手段は、前記第二親密度および前記第一親密度に応じて、前記プレゼンティティおよびウォッチャ間の心理的距離を算出し、該心理的距離と、前記記憶手段内のプレゼンス情報とに基づいて、前記ウォッチャの端末に通知する通知用のプレゼンス情報を生成し、該生成した通知用のプレゼンス情報を、前記ウォッチャの端末に通知する、プレゼンスサーバ。
【請求項４】
請求項３に記載のプレゼンスサーバにおいて、
前記受信手段は、前記ウォッチャの端末から、前記プレゼンス情報を取得する旨の取得要求を、前記プレゼンティティ情報と共に受信し、
前記制御手段は、前記受信手段が取得要求を受信すると、前記プレゼンティティの端末に、前記ウォッチャ情報を送信する旨の送信要求を、前記第二親密度と共に送信する、プレゼンスサーバ。
【請求項５】
請求項３または４に記載のプレゼンスサーバにおいて、
前記プレゼンティティの端末および前記ウォッチャの端末間の接続を制御する制御サーバと接続され、
前記受信手段は、前記制御サーバから、前記プレゼンティティの端末および前記ウォッチャの端末間の接続要求を受信し、
前記制御手段は、前記受信手段が前記接続要求を受信すると、前記心理的距離に応じて、前記接続要求に対する処理を決定し、該決定した処理で動作する旨の動作指示を前記制御サーバに送信する、プレゼンスサーバ。
【請求項６】
請求項４または５に記載のプレゼンスサーバにおいて、
前記端末は、３以上あり、
前記プレゼンティティおよび前記ウォッチャのそれぞれの端末を特定する二つの識別子からなる組ごとに、当該組と、前記心理的距離とを対応付けて記憶する格納手段を含み、
前記受信手段は、前記３以上の端末のいずれか一つから、複数の識別子と共に、該複数の識別子にて特定される複数の端末のユーザ間の心理的距離の平均値を取得する旨の取得
指示を受信し、
前記制御手段は、前記受信手段が受信した複数の識別子から作ることが可能な互いに異なる二つの識別子からなる組と対応付けられた心理的距離のそれぞれの平均値を算出し、該平均値を前記３以上の端末のいずれかに返信する、プレゼンスサーバ。
【請求項７】
プレゼンティティのプレゼンス情報をウォッチャが使用する端末に通知可能なプレゼンスサーバが行う親密度通知方法であって、
前記プレゼンティティが使用する端末から、前記プレゼンティティの前記ウォッチャに対する評価を示すウォッチャ情報を受信する受信ステップと、
前記受信されたウォッチャ情報に応じて、前記プレゼンティティの前記ウォッチャに対する第一親密度を求める親密度算出ステップと、
前記求められた第一親密度を、前記ウォッチャの端末に送信する送信ステップと、を含む親密度通知方法。
【請求項８】
請求項７に記載の親密度通知方法において、
前記送信ステップの後に、前記ウォッチャの端末から、前記ウォッチャの前記プレゼンティティに対する評価を示すプレゼンティティ情報を受信する受付ステップと、
前記受信されたプレゼンティティ情報に応じて、前記ウォッチャの前記プレゼンティティに対する第二親密度を求める計算ステップと、
前記求められた第二親密度を、前記プレゼンティティの端末に送信する出力ステップと、を含む親密度通知方法。
【請求項９】
請求項８に記載の親密度通知方法において、
前記プレゼンスサーバは、前記プレゼンス情報を記憶する記憶手段を含み、
前記出力ステップの後に、前記第二親密度および前記第一親密度に応じて、前記プレゼンティティおよびウォッチャ間の心理的距離を算出する距離算出ステップと、
前記算出された心理的距離と、前記記憶手段内のプレゼンス情報とに基づいて、前記ウォッチャの端末に通知する通知用のプレゼンス情報を生成する生成ステップと、
前記生成された通知用のプレゼンス情報を、前記ウォッチャの端末に通知する通知ステップと、を含む親密度通知方法。
【請求項１０】
請求項９に記載の親密度通知方法において、
前記受付ステップでは、前記ウォッチャの端末から、前記プレゼンス情報を取得する旨の取得要求を、前記プレゼンティティ情報と共に受信し、
前記出力ステップでは、前記取得要求が受信されると、前記プレゼンティティの端末に、前記ウォッチャ情報を送信する旨の送信要求を、前記第二親密度と共に送信する、親密度通知方法。
【請求項１１】
請求項９または１０に記載の親密度通知方法において、
前記プレゼンスサーバは、前記プレゼンティティの端末および前記ウォッチャの端末間の接続を制御する制御サーバと接続され、
前記通知ステップの後に、前記制御サーバから、前記プレゼンティティの端末および前記ウォッチャの端末間の接続要求を受信する要求受信ステップと、
前記接続要求が受信されると、前記心理的距離に応じて、前記接続要求に対する処理を決定する決定ステップと、
前記決定された処理で動作する旨の動作指示を前記制御サーバに送信する指示ステップと、を含む親密度通知方法。
【請求項１２】
請求項１０または１１に記載の親密度通知方法において、
前記端末は、３以上あり、
前記プレゼンスサーバは、前記プレゼンティティおよび前記ウォッチャのそれぞれの端末を特定する二つの識別子からなる組ごとに、当該組と、前記心理的距離とを対応付けて記憶する格納手段を含み、
前記通知ステップの後に、前記３以上の端末のいずれか一つから、複数の識別子と共に、該複数の識別子にて特定される複数の端末のユーザ間の心理的距離の平均値を取得する旨の取得指示を受信する指示受信ステップと、
前記受信された複数の識別子から作ることが可能な互いに異なる二つの識別子からなる組と対応付けられた心理的距離のそれぞれの平均値を算出する算出ステップと、
前記算出された平均値を前記３以上の端末のいずれかに返信する返信ステップと、を含む、親密度通知方法。
【発明の詳細な説明】
【技術分野】
【０００１】
本発明は、プレゼンス情報を送信可能なプレゼンスサーバおよび親密度送信方法に関する。
【背景技術】
【０００２】
近年、ユーザの状態（プレゼンス）をプレゼンス情報として他のユーザに通知するプレゼンスシステムが用いられている。プレゼンス情報は、多忙や外出中などのユーザのプレゼンスの他に、ユーザの携帯電話の電話番号など連絡先や連絡方法などを含んでもよい。
【０００３】
なお、プレゼンスシステムでは、プレゼンス情報を通知するユーザは、プレゼンティティと呼ばれ、プレゼンス情報を取得するユーザは、ウォッチャと呼ばれる。
【０００４】
プレゼンティティは、自身のプライバシーの保護や最適な連絡方法の提示のために、ウォッチャをグループに分類し、通知するプレゼンス情報をグループごとに変更する方法が用いられている。
【０００５】
例えば、プレゼンティティは、ウォッチャを仕事グループとプライベートグループに分類する。そして、プレゼンティティは、休日用のプレゼンス情報や、連絡先（例えば、電話番号等）を含むプレゼンス情報を、プライベートグループだけに通知し、仕事グループには通知しないなどといったことが可能になる。
【０００６】
このような方法には、特許文献１に記載の状態情報通知方法がある。
【０００７】
この状態情報通知方法では、プレゼンティティは、自分の個人情報と、プレゼンス情報と、プレゼンス情報に関するポリシとをサーバに登録する。個人情報には、例えば、プレゼンティティの趣味などが含まれる。また、ポリシは、例えば、「同じ趣味ならＯＫ」などである。
【０００８】
また、ウォッチャは、そのサーバに、プレゼンス情報の取得を予約すると共に、自身の個人情報を登録する。そして、プレゼンティティがサーバに登録したプレゼンス情報を変更すると、サーバは、そのポリシに従って、その変更後のプレゼンス情報を通知するウォッチャを決定する。例えば、サーバは、プレゼンティティと同じ趣味のウォッチャに、そのプレゼンス情報を通知する。
【０００９】
なお、この状態情報通知方法では、ウォッチャは、ポリシによってグループに分類されている。
【特許文献１】特開２００５−２７５７５５号公報
【発明の開示】
【発明が解決しようとする課題】
【００１０】
プレゼンスシステムでは、ウォッチャは、プレゼンティティの自分に対する認識を知ることができない。このため、プレゼンティティおよびウォッチャの共同作業の効率が低下するという問題が生じる可能性がある。
【００１１】
例えば、ユーザＡは、ユーザＢを親密かつ信頼できると考え、ユーザＢをパーソナルグループに分類したとする。一方、ユーザＢは、ユーザＡを仕事上だけの相手と考え、仕事グループに分類したとする。この場合、ユーザＢは、ユーザＡの休日用のプレゼンス情報や連絡先を含むプレゼンス情報を取得することができるが、ユーザＡは、ユーザＢの休日用のプレゼンス情報や連絡先を含むプレゼンス情報を取得することができない。従って、ユーザＡは、ユーザＢに連絡したくてもできない。また、ユーザＡは、それらのプレゼンス情報を取得できない理由もわからないため、対処ができず、共同作業の効率が低下する。
【００１２】
そこで、本発明の目的は、上記の課題である、プレゼンティティおよびウォッチャ間の共同作業の効率が低下するという問題点を解決するプレゼンスサーバおよび親密度送信方法を提供することである。
【課題を解決するための手段】
【００１３】
本発明のプレゼンスサーバは、プレゼンティティのプレゼンス情報をウォッチャが使用する端末に通知可能なプレゼンスサーバであって、前記プレゼンティティが使用する端末から、前記プレゼンティティの前記ウォッチャに対する評価を示すウォッチャ情報を受信する受信手段と、前記受信手段が受信したウォッチャ情報に応じて、前記プレゼンティティの前記ウォッチャに対する第一親密度を求め、該第一親密度を、前記ウォッチャの端末に送信する制御手段と、を含む。
【００１４】
また、本発明の親密度送信方法は、プレゼンティティのプレゼンス情報をウォッチャが使用する端末に通知可能なプレゼンスサーバが行う親密度通知方法であって、前記プレゼンティティが使用する端末から、前記プレゼンティティの前記ウォッチャに対する評価を示すウォッチャ情報を受信する受信ステップと、前記受信されたウォッチャ情報に応じて、前記プレゼンティティの前記ウォッチャに対する第一親密度を求める算出ステップと、前記求められた第一親密度を、前記ウォッチャの端末に送信する送信ステップと、を含む。
【発明の効果】
【００１５】
本発明によれば、プレゼンティティおよびウォッチャ間の共同作業の効率を向上させることが可能になる。
【発明を実施するための最良の形態】
【００１６】
以下、本発明の実施形態について図面を参照して説明する。
【００１７】
図１は、本発明の一実施形態のプレゼンスシステムを示したブロック図である。
【００１８】
図１において、プレゼンスシステムは、プレゼンスサーバ１００と、プレゼンス端末２００および３００とを含む。プレゼンスサーバ１００は、プレゼンス端末（以下、ＰＣ端末と称する）２００および３００とネットワーク回線１を介して相互に接続可能である。ネットワーク回線１は、例えば、ＬＡＮ回線やインターネット回線などである。
【００１９】
ＰＣ端末２００および３００のそれぞれは、自己のユーザのプレゼンス情報をプレゼンスサーバ１００に発行するプレゼンティティの端末としての機能と、プレゼンティティのプレゼンス情報の取得をプレゼンスサーバ１００に要求するウォッチャの端末としての機能を有する。
【００２０】
プレゼンスサーバ１００は、プレゼンティティの端末が発行したプレゼンス情報を、ウォッチャの端末に通知する機能を有する。
【００２１】
プレゼンスサーバ１００は、プレゼンス記憶部１０１と、バディリスト記憶部１０２と、ウォッチャリスト記憶部１０３と、ルール記憶部１０４と、プレゼンス処理部１０５とを含む。
【００２２】
プレゼンス記憶部１０１は、プレゼンティティのプレゼンス情報を、プレゼンティティのＰＣ端末を特定する識別子（以下、Ｐ識別子と称する）ごとに対応付けて記憶する。
【００２３】
バディリスト記憶部１０２は、ウォッチャのバディリストを、ウォッチャが使用するＰＣ端末を特定する識別子（以下、Ｗ識別子と称する）ごとに対応付けて記憶する。バディリストは、そのウォッチャがプレゼンス情報を購読するプレゼンティティの端末を特定するＰ識別子を含む。
【００２４】
ここで、バディリストでは、各Ｐ識別子が、「開発部」、「営業部」および「同僚」などのカテゴリーに分類されていてもよい。
【００２５】
ウォッチャリスト記憶部１０３は、プレゼンティティのウォッチャリストを、Ｐ識別子ごとに対応付けて記憶する。
【００２６】
ウォッチャリストでは、プレゼンティティのウォッチャに対する親密度（以下、対Ｗ親密度と称する）と、ウォッチャのプレゼンティティに対する親密度（以下、対Ｐ親密度と称する）とが、Ｗ識別子ごとに対応付けられている。なお、ウォッチャリストでは、プレゼンティティおよびウォッチャの心理的距離が、さらにＷ識別子ごとに対応付けられていてもよい。
【００２７】
ここで、ウォッチャリストでは、各Ｗ識別子が、「開発部」、「営業部」および「同僚」などのカテゴリーに分類されていてもよい。なお、ウォッチャリストにおけるカテゴリーは、バディリストにおけるカテゴリーと同じでもよいし、異なっていてもよい。
【００２８】
なお、対Ｗ親密度は、第一親密度の一例であり、対Ｐ親密度は、第二親密度の一例である。
【００２９】
ルール記憶部１０４は、プレゼンス公開ルールと、親密度ルールとを記憶する。
【００３０】
プレゼンス公開ルールは、プレゼンス情報の送信内容を決定するためのルールである。プレゼンス公開ルールは、例えば、心理的距離が「６」以上の場合、プライベートの連絡先（例えば、携帯電話の電話番号）を送信しないなどである。なお、心理的距離は、大きいほど、疎遠な関係を示し、小さいほど、親密な関係を示すものとする。
【００３１】
また、プレゼンス公開ルールは、ユーザごとに異なっていてもよいし、システムで統一されていてもよい。また、プレゼンス公開ルールは、バディリストまたはウォッチャリストがカテゴリーに分類されている場合、そのカテゴリーごとに異なっていてもよい。
【００３２】
親密度ルールでは、親密度が、ユーザが他のユーザに割り当てたグループごとに対応付けられている。
【００３３】
最も信頼があり親密な関係の親密度が「０」であり、最も信頼がなく疎遠な関係の親密度が「５」であるとする。この場合、例えば、親密度ルールでは、パーソナルグループに親密度「０」、チームメンバグループに親密度「１」、部門グループに親密度「２」、社内グループに親密度「３」、社外グループに親密度「４」、そして、拒否グループに親密度「５」が対応付けられる。
【００３４】
プレゼンス処理部１０５は、受信部１０６と、制御部１０７とを含む。
【００３５】
受信部１０６は、ウォッチャのＰＣ端末から、そのウォッチャがプレゼンス情報を取得するプレゼンティティを追加する旨の追加要求と共に、そのウォッチャがそのプレゼンティティに割り当てたグループ（以下、対Ｐグループと称する）を受信する。ここで、追加要求は、そのウォッチャの端末を特定するＷ識別子と、そのプレゼンティティを特定するＰ識別子とを含む。
【００３６】
なお、本実施形態では、追加要求を、プレゼンス情報を取得する旨の取得要求として用いている。また、対Ｐグループは、ウォッチャのプレゼンティティに対する評価を示すプレゼンティティ情報の一例である。
【００３７】
また、受信部１０６は、プレゼンティティのＰＣ端末から、ウォッチャにプレゼンス情報を発行するか否かを示す認証情報を受信する。認証情報は、そのプレゼンティティのＰＣ端末を特定するＰ識別子と、そのウォッチャのＰＣ端末を特定するＷ識別子とを含む。また、認証情報は、ウォッチャにプレゼンス情報を発行することを示す場合、そのプレゼンティティがウォッチャに割り当てたグループ（以下、対Ｗグループと称する）をさらに含む。なお、対Ｗグループは、プレゼンティティのウォッチャに対する評価を示すウォッチャ情報の一例である。
【００３８】
さらに、受信部１０６は、プレゼンティティのＰＣ端末から、プレゼンス情報およびＰ識別子を受信する。
【００３９】
制御部１０７は、受信部１０６が追加要求および対Ｐグループを受信すると、その追加要求内のＰ識別子を、バディリスト記憶部１０２内の、その追加要求内のＷ識別子に対応するバディリストに追加する。
【００４０】
また、制御部１０７は、その受信した対Ｐグループに応じて、ウォッチャのプレゼンティティに対する対Ｐ親密度を求める。具体的には、制御部１０７は、ルール記憶部１０４内の親密度ルールにおいて、その対Ｐグループに対応した親密度を、対Ｐ親密度として求める。
【００４１】
制御部１０７は、その求めた対Ｐ親密度とその追加要求内のＷ識別子とを対応付けて、ウォッチャリスト記憶部１０３内の、その追加要求内のＰ識別子に対応するウォッチャリストに追加する。
【００４２】
そして、制御部１０７は、プレゼンス情報の取得が要求された旨の要求通知を、その追加要求内のＰ識別子にて特定されるＰＣ端末に送信する。ここで、要求通知は、その求めた対Ｐ親密度と、その追加要求内のＷ識別子とを含む。なお、本実施形態では、要求通知を、ウォッチャ情報を送信する旨の送信要求として用いている。
【００４３】
また、制御部１０７は、受信部１０６が認証情報を受信すると、その認証情報がプレゼンス情報の発行を示すか否かを確認する。
【００４４】
制御部１０７は、その認証情報がプレゼンス情報の発行を示すと、その認証情報内の対Ｗグループに応じて、プレゼンティティのウォッチャに対する対Ｗ親密度を求める。具体的には、制御部１０７は、ルール記憶部１０４内の親密度ルールにおいて、その対Ｗグループに対応した親密度を、対Ｗ親密度として求める。
【００４５】
制御部１０７は、その求めた対Ｗ親密度とその認証情報内のＷ識別子とを対応付けて、ウォッチャリスト記憶部１０３内のその認証情報内のＰ識別子に対応するウォッチャリストに追加する。
【００４６】
ここで、制御部１０７は、その求めた対Ｗ親密度と、そのウォッチャリストにおいて、その認証情報内のＷ識別子に対応する対Ｐ親密度とに応じて、そのプレゼンティティおよびウォッチャの心理的距離を算出してもよい。これにより、制御部１０７は、受信部１０６が受信した対Ｐ親密度および対Ｗ親密度に応じて、プレゼンティティおよびウォッチャ間の心理的距離を算出することになる。
【００４７】
この場合、制御部１０７は、その心理的距離を、その認証情報内のＷ識別子に対応付けて、そのウォッチャリストに追加する。
【００４８】
以下では、制御部１０７は、心理的距離を算出したものとする。なお、心理的距離の具体的な算出方法は、後述する。
【００４９】
また、制御部１０７は、プレゼンス記憶部１０１において、その認証情報内のＰ識別子に対応するプレゼンス情報を、その認証情報内のＷ識別子にて特定されるＰＣ端末に通知する。このとき、制御部１０７は、その認証情報内のＰ識別子に対応するウォッチャリストにおいて、その認証情報内のＷ識別子に対応する対Ｗ親密度および対Ｐ親密度を、そのプレゼンス情報と共に通知する。
【００５０】
また、制御部１０７は、受信部１０６がプレゼンス情報およびＰ識別子を受信すると、プレゼンス記憶部１０１において、そのＰ識別子に対応するプレゼンス情報を、その受信したプレゼンス情報に更新する。
【００５１】
そして、制御部１０７は、ウォッチャリスト記憶部１０３に記憶された、そのＰ識別子に対応するウォッチャリスト内のＷ識別子のそれぞれに対して、以下の処理を行う。
【００５２】
つまり、制御部１０７は、そのウォッチャリストにおいて、そのＷ識別子に対応する心理的距離と、ルール記憶部１０４内のプレゼンス公開ルールと、その受信されたプレゼンス情報と、に基づいて、そのＷ識別子にて特定されるＰＣ端末に通知する通知用のプレゼンス情報を生成する。
【００５３】
例えば、プレゼンス公開ルールが、『心理的距離が「６」以上の場合、プライベートの連絡先（例えば、携帯電話の電話番号）を送信しない』である場合、制御部１０７は、以下の処理を行う。つまり、制御部１０７は、そのＷ識別子に対応する心理的距離が「６」以上の場合、そのプレゼンス情報から連絡先を除いた情報を通知用のプレゼンス情報として生成する。一方、制御部１０７は、そのＷ識別子に対応する心理的距離が「６」未満の場合、そのプレゼンス情報を通知用のプレゼンス情報として生成する。
【００５４】
制御部１０７は、そのＷ識別子のそれぞれに対して通知用のプレゼンス情報を生成すると、その通知用のプレゼンス情報を、その通知用のプレゼンス情報に対するＷ識別子にて特定されるＰＣ端末に通知する。
【００５５】
ＰＣ端末２００および３００のそれぞれは、入力部２０１と、表示部２０２と、端末記憶部２０３と、プレゼンティティ部２０４と、ウォッチャ部２０５と、リスト操作部２０６と、心理的距離演算部２０７とを含む。以下、ＰＣ端末２００を使用するユーザを、ユーザＡと称し、ＰＣ端末３００を使用するユーザを、ユーザＢと称する。また、ＰＣ端末２００および３００の構成は同じであるので、ＰＣ端末２００を例に説明し、ＰＣ端末３００の説明を省略する。
【００５６】
入力部２０１は、ユーザＡから、ユーザＡのプレゼンス情報と、追加要求と、を受け付ける。なお、この追加要求は、ユーザＡがそのプレゼンティティに割り当てるグループと、そのプレゼンティティのＰＣ端末の識別子とを含む。
【００５７】
表示部２０２は、種々の情報を表示する。
【００５８】
端末記憶部２０３は、自端末の識別子を記憶する。
【００５９】
プレゼンティティ部２０４は、プレゼンス情報の発行を制御する。
【００６０】
具体的には、プレゼンティティ部２０４は、入力部２０１がプレゼンス情報を受け付けると、そのプレゼンス情報と、端末記憶部２０３内の識別子と、をプレゼンスサーバ１００に通知する。このとき、プレゼンティティ部２０４は、その識別子をＰ識別子として通知する。
【００６１】
また、プレゼンティティ部２０４は、プレゼンスサーバ１００から、要求通知を受信すると、その要求通知内のＷ識別子にて特定される端末のウォッチャに、ユーザＡのプレゼンス情報を発行する場合、その要求通知内のＷ識別子にて特定される端末のウォッチャに対Ｗグループを割り当てる。
【００６２】
具体的には、先ず、プレゼンティティ部２０４は、その要求通知内のＷ識別子および親密度を表示部２０２に表示する。ユーザＡは、そのＷ識別子および親密度に応じて、そのウォッチャに、ユーザＡのプレゼンス情報を発行するか否かを判断する。
【００６３】
ユーザＡは、プレゼンス情報を発行すると判断すると、そのウォッチャをあるグループに割り当て、その割り当てたグループを入力部２０１に入力する。プレゼンティティ部２０４は、その入力されたグループを、そのウォッチャに対Ｗグループとして割り当てる。
【００６４】
プレゼンティティ部２０４は、プレゼンス情報を発行することを示す認証情報を生成する。プレゼンティティ部２０４は、その認証情報に、その割り当てた対Ｗグループと、端末記憶部２０３内の識別子と、その要求通知内のＷ識別子とを追加する。なお、プレゼンティティ部２０４は、端末記憶部２０３内の識別子をＰ識別子とする。
【００６５】
一方、ユーザＡは、プレゼンス情報を発行しないと判断すると、プレゼンス情報を発行しない旨を入力部２０１に入力する。プレゼンティティ部２０４は、プレゼンス情報を発行しないことを示す認証情報を生成する。プレゼンティティ部２０４は、その認証情報に、端末記憶部２０３内の識別子と、その要求通知内のＷ識別子とを追加する。なお、プレゼンティティ部２０４は、端末記憶部２０３内の識別子をＰ識別子とする。
【００６６】
プレゼンティティ部２０４は、その認証情報をプレゼンスサーバ１００に送信する。
【００６７】
ウォッチャ部２０５は、プレゼンスサーバ１００から、プレゼンス情報、対Ｐ親密度および対Ｗ親密度を受信する。
【００６８】
リスト操作部２０６は、入力部２０１が受け付けた追加要求に、端末記憶部２０３内の識別子をＷ識別子として加える。リスト操作部２０６は、そのＷ識別子を加えた追加要求を、プレゼンスサーバ１００に送信する。
【００６９】
心理的距離演算部（以下、演算部と称する）２０７は、ウォッチャ部２０５が受信した対Ｗ親密度および対Ｐ親密度に応じて、プレゼンティティとユーザＡとの心理的距離を算出する。なお、ここでユーザＡは、そのプレゼンティティに対するウォッチャである。
【００７０】
演算部２０７は、その算出した心理的距離と、ウォッチャ部２０５が受信したプレゼンス情報と、を表示部２０２に表示する。
【００７１】
次に、心理的距離の算出方法について説明する。
【００７２】
第一の方法では、制御部１０７は、対Ｐ親密度および対Ｗ親密度の合計を、心理的距離として算出する。
【００７３】
例えば、対Ｐ親密度が「０」、かつ、対Ｗ親密度が「０」の場合、心理的距離は、０＋０＝「０」となる。また、対Ｐ親密度が「１０」、かつ、対Ｗ親密度が「２」の場合、心理的距離は、１０＋２＝「１２」となる。
【００７４】
この場合、ユーザは、互いに相手との心理的距離の大きさを知ることが可能になり、双方が心理的距離を「０」に近づけようとする努力が期待できる。
【００７５】
第二の方法では、演算部２０７は、対Ｐ親密度および対Ｗ親密度の差分を、心理的距離として算出する。ここでは、演算部２０７は、自端末のユーザ（ユーザＡ）の相手（ユーザＢとする）に対する親密度から、ユーザＢのユーザＡに対する親密度を差し引くとする。
【００７６】
例えば、ユーザＡがユーザＢのウォッチャであり、対Ｐ親密度が「１０」、かつ、対Ｗ親密度が「２」の場合、端末２００の演算部２０７は、心理的距離を「＋８」と求め、一方、ＰＣ端末３００の演算部２０７は、心理的距離を「−８」と求める。
【００７７】
ここで、演算部２０７は、その求めた心理的距離の全てを表示部２０２に表示しなくてもよい。例えば、演算部２０７は、その心理的距離の符号だけを表示してもよい。
【００７８】
この場合、プライバシーを保護することが可能になる。また、その符号がプラスの場合、相手は自分のことをより親密な関係と感じていることになり、自分の心持で相手と心理的距離を小さくすることが可能になることがわかる。また、その符号がマイナスの場合、相手は自分のことをより疎遠な関係と感じていることになり、相手の気持ちが変化するように自分から働きかけなければ、心理的距離が小さくならないことがわかる。
【００７９】
また、演算部２０７は、その心理的距離の絶対値を表示してもよい。この場合、プライバシーを保護することが可能になる。また、ユーザは、互いの親密度の認識のずれの大きさを知ることが可能になる。
【００８０】
また、演算部２０７は、その心理的距離をアイコンなど画像で表示してもよい。例えば、演算部２０７は、その心理的距離が小さいほど、アイコンの色を濃くし、その心理的距離が大きいほど、アイコンの色を薄くする。また、演算部２０７は、心理的距離の符号ごとに定めた色のアイコンを表示してもよい。
【００８１】
これらの場合、心理的距離を視覚的に把握することが可能になる。
【００８２】
なお、上記の例では、心理的距離の算出を演算部２０７が行っていたが、制御部１０７が行なう場合でも、同様に行われる。
【００８３】
次に動作を説明する。
【００８４】
以下、ユーザＡをウォッチャとし、ユーザＢをプレゼンティティとする。
【００８５】
図２は、バディリストにプレゼンス情報を追加するときの、プレゼンスシステムの動作を説明するためのシーケンス図である。
【００８６】
ステップ１０１では、入力部２０１は、ユーザＡから、ユーザＢをプレゼンティティとして追加する旨の追加要求を受け付けると、その追加要求をリスト操作部２０６に送信する。なお、この追加要求は、ユーザＢのＰＣ端末２００を特定する識別子を、Ｐ識別子として含み、また、ユーザＢに割り当てたグループを対Ｐグループとして含む。
【００８７】
リスト操作部２０６は、その追加要求を受信すると、端末記憶部２０３から、識別子をＷ識別子として取得し、そのＷ識別子をその追加要求に追加する。リスト操作部２０６は、その追加した追加要求を、プレゼンスサーバ１００の受信部１０６に送信する。
【００８８】
ステップＳ１０２では、受信部１０６は、その追加要求を受信すると、その追加要求を制御部１０７に送信する。制御部１０７は、その追加要求を受信する。
【００８９】
ステップＳ１０３では、制御部１０７は、その追加要求内のＰ識別子を、バディリスト記憶部１０２内の、その追加要求内のＷ識別子に対応するバディリストに追加する。
【００９０】
ステップＳ１０４では、制御部１０７は、ルール記憶部１０４内の親密度ルールにおいて、その追加要求内の対Ｐグループに対応した親密度を対Ｐ親密度として求める。制御部１０７は、その求めた対Ｐ親密度と、その追加要求内のＷ識別子を対応付けて、ウォッチャリスト記憶部１０３内の、その追加要求内のＰ識別子に対応するウォッチャリストに追加する。
【００９１】
ステップＳ１０５では、制御部１０７は、その追加要求内のＷ識別子と、その求めた対Ｐ親密度とを含む要求通知を生成し、その要求通知を、その追加要求内のＰ識別子にて特定されるＰＣ端末３００のプレゼンティティ部２０４に送信する。
【００９２】
ステップＳ１０６では、プレゼンティティ部２０４は、その要求通知を受信する。
【００９３】
ステップＳ１０７では、プレゼンティティ部２０４は、その要求通知内のＷ識別子および親密度を表示部２０２に表示する。
【００９４】
その後、入力部２０１は、ユーザＢがユーザＡに割り当てた対Ｗグループを受け付けた場合、その対Ｗグループをプレゼンティティ部２０４に送信する。プレゼンティティ部２０４は、その対Ｗグループを受信すると、プレゼンス情報を発行することを示す認証情報を生成する。プレゼンティティ部２０４は、その認証情報に、その割り当てた対Ｗグループと、端末記憶部２０３内の識別子と、その要求通知内のＷ識別子とを追加する。なお、プレゼンティティ部２０４は、端末記憶部２０３内の識別子をＰ識別子として追加する。
【００９５】
一方、入力部２０１は、プレゼンス情報を発行しない旨を受け付けると、その旨をプレゼンティティ部２０４に送信する。プレゼンティティ部２０４は、その旨を受信すると、プレゼンス情報を発行しないことを示す認証情報を生成する。プレゼンティティ部２０４は、その認証情報に、端末記憶部２０３内の識別子と、その要求通知内のＷ識別子とを追加する。なお、プレゼンティティ部２０４は、端末記憶部２０３内の識別子をＰ識別子として追加する。
【００９６】
そして、プレゼンティティ部２０４は、その認証情報を、プレゼンスサーバ１００の制御部１０７に送信する。
【００９７】
ステップＳ１０８では、受信部１０６は、その認証情報を受信すると、その認証情報を制御部１０７に送信する。
【００９８】
制御部１０７は、その認証情報を受信すると、ルール記憶部１０４内の親密度ルールにおいて、その認証情報内の対Ｗグループに対応した親密度を、対Ｗ親密度として求める。
【００９９】
制御部１０７は、その求めた対Ｗ親密度を、その認証情報内のＷ識別子に対応付けて、ウォッチャリスト記憶部１０３内の、その認証情報内のＰ識別子に対応するウォッチャリストに追加する。
【０１００】
制御部１０７は、その求めた対Ｗ親密度と、そのウォッチャリストにおいて、その認証情報内のＷ識別子に対応する対Ｐ親密度とに応じて、そのプレゼンティティおよびウォッチャの心理的距離を算出する。制御部１０７は、その心理的距離を、そのＷ識別子に対応付けて、そのウォッチャリストに追加する。
【０１０１】
ステップＳ１０９では、制御部１０７は、その認証情報内のＰ識別子に対応するプレゼンス情報をプレゼンス記憶部１０１から取得する。また、制御部１０７は、そのウォッチャリストから、その認証情報内のＷ識別子に対応する対Ｐ親密度および対Ｗ親密度を取得する。
【０１０２】
制御部１０７は、その取得したプレゼンス情報、対Ｐ親密度および対Ｗ親密度を、その認証情報内のＷ識別子にて特定されるＰＣ端末２００のウォッチャ部２０５に送信する。
【０１０３】
ステップＳ１１０では、ウォッチャ部２０５は、そのプレゼンス情報、対Ｐ親密度および対Ｗ親密度を受信する（ステップＳ１１０）。
【０１０４】
ステップＳ１１１では、ウォッチャ部２０５は、そのプレゼンス情報、対Ｐ親密度および対Ｗ親密度を演算部２０７に送信する。演算部２０７は、そのプレゼンス情報、対Ｐ親密度および対Ｗ親密度を受信すると、その対Ｐ親密度および対Ｗ親密度に応じて、心理的距離を算出する。演算部２０７は、その心理的距離およびプレゼンス情報を表示部２０２に表示する。
【０１０５】
その後、ユーザＢがユーザＡのグループ分けを変更した場合は、ユーザＡに対して新しい親密度が通知される。
【０１０６】
図３は、プレゼン情報を更新するときの、プレゼンスシステムの動作を説明するためのシーケンス図である。
【０１０７】
ステップＳ２０１では、ＰＣ端末２００の入力部２０１は、ユーザＢからプレゼンス情報を受け付けると、そのプレゼンス情報をプレゼンティティ部２０４に送信する。
【０１０８】
プレゼンティティ部２０４は、そのプレゼンス情報を受信すると、端末記憶部２０３から識別子をＰ識別子として取得する。プレゼンティティ部２０４は、そのプレゼンス情報およびＰ識別子をプレゼンスサーバ１００の制御部１０７に通知する。
【０１０９】
ステップＳ２０２では、制御部１０７は、そのプレゼンス情報およびＰ識別子を受信する。
【０１１０】
ステップＳ２０３では、制御部１０７は、そのＰ識別子に対応するプレゼンス記憶部１０１内のプレゼンス情報を、その受信したプレゼンス情報に更新する。
【０１１１】
ステップＳ２０４では、制御部１０７は、そのＰ識別子に対応するウォッチャリストを、ウォッチャリスト記憶部１０３から取得する。
【０１１２】
ステップＳ２０５では、制御部１０７は、ルール記憶部１０４からプレゼンス公開ルールを取得する。
【０１１３】
ステップＳ２０６では、制御部１０７は、その取得したウォッチャリストのＷ識別子のそれぞれに対して、そのＷ識別子と対応する心理的距離と、その取得したプレゼンス公開ルールと、その受信したプレゼンス情報から、そのＷ識別子にて特定されるＰＣ端末に通知する通知用のプレゼンス情報を生成する（ステップＳ２０６）。
【０１１４】
ステップＳ２０７では、制御部１０７は、各Ｗ識別子のそれぞれにて特定されるＰＣ端末のウォッチャ部２０５に、そのＷ識別子にて特定されるＰＣ端末に対する通知用のプレゼンス情報を送信する。
【０１１５】
ステップＳ２０８では、ＰＣ端末２００のウォッチャ部２０５は、そのプレゼンス情報を受信すると、そのプレゼンス情報を表示部２０２に表示する。
【０１１６】
なお、本実施形態において、ウォッチャ情報またはプレゼンティティ情報としてグループを用い、親密度は、グループごとに定められていた。しかしながら、親密度は、グループとは別の数値で示してもよい。この場合、追加要求や認証情報には、例えば、ウォッチャ情報またはプレゼンティティ情報として親密度が含まれる。また、制御部１０７は、そのグループに応じて親密度を求める代わりに、その追加要求や認証情報内の親密度を用いる。
【０１１７】
次に効果を説明する。
【０１１８】
本実施形態によれば、受信部１０６は、プレゼンティティの端末から、プレゼンティティのウォッチャに対する評価を示すウォッチャ情報として対Ｗグループを受信する。制御部１０７は、その対Ｗグループに応じて、プレゼンティティのウォッチャに対する対Ｗ親密度を求める。そして、制御部１０７は、その求めた対Ｗ親密度をウォッチャの端末に送信する。
【０１１９】
この場合、プレゼンティティのウォッチャに対する対Ｗ親密度が、ウォッチャの端末に送信される。このため、ウォッチャは、プレゼンティティの自分に対する認識を知ることが可能になるので、プレゼンティティとの互いの関係についての認識を一致させることが可能になる。したがって、プレゼンティティおよびウォッチャ間の共同作業の効率を向上させることが可能になる。
【０１２０】
また、本実施形態では、受信部１０６は、ウォッチャの端末から、ウォッチャのプレゼンティティに対する評価を示すプレゼンティティ情報として対Ｐグループを受信する。制御部１０７は、その対Ｐグループに応じて、ウォッチャのプレゼンティティに対する対Ｐ親密度を求める。そして、制御部１０７は、その求めた対Ｐ親密度をプレゼンティティの端末に送信する。
【０１２１】
この場合、ウォッチャのプレゼンティティに対する対Ｐ親密度が、ウォッチャの端末に送信される。このため、プレゼンティティは、ウォッチャの自分に対する認識を知ることが可能になるので、ウォッチャとの互いの関係について認識を一致させることが可能になる。したがって、プレゼンティティおよびウォッチャ間の共同作業の効率をより向上させることが可能になる。
【０１２２】
また、本実施形態では、制御部１０７は、対Ｐ親密度および対Ｗ親密度に応じて、プレゼンティティおよびウォッチャ間の心理的距離を算出する。また、制御部１０７は、その心理的距離と、プレゼンス記憶部１０１内のプレゼンス情報とに基づいて、ウォッチャの端末に通知する通知用のプレゼンス情報を生成する。さらに、制御部１０７は、その生成した通知用のプレゼンス情報を、前記ウォッチャの端末に通知する
この場合、対Ｐ親密度および対Ｗ親密度に応じて、プレゼンティティおよびウォッチャ間の心理的距離が算出される。また、その心理的距離に応じて、通知用のプレゼンス情報が生成され、その通知用のプレゼンス情報がウォッチャの端末に送信される。
【０１２３】
したがって、プレゼンティティおよびウォッチャの互いに心理的な関係に応じて、通知するプレゼンス情報を決定することが可能になる。
【０１２４】
また、本実施形態では、受信部１０６は、ウォッチャの端末から、対Ｐグループと共に、プレゼンス情報を取得する旨の取得要求として追加要求を受信する。制御部１０７は、受信部１０６が追加要求を受信すると、対Ｗグループ（ウォッチャ情報）を送信する旨の送信要求として要求通知を、対Ｐ親密度と共に送信する。
【０１２５】
この場合、追加要求が受信されると、プレゼンティティの端末に、要求通知が、対Ｐ親密度と共に送信される。このため、プレゼンティティは、ウォッチャの自分に対する認識に応じて、対Ｗグループを決定できる。したがって、プレゼンティティは、ウォッチャの自分に対する認識に応じて、そのウォッチャに通知するプレゼンス情報を決定することが可能になる。
【０１２６】
次に本発明の第二の実施形態について説明する。以下、主に第一の実施形態に追加された構成、機能および動作について説明する。
【０１２７】
図４は、本実施形態のプレゼンスシステムを示したブロック図である。図４において、プレゼンスシステムは、プレゼンスサーバ１００と、ＰＣ端末２００および２００と、呼制御サーバ４００と、ボイスメール装置５００とを含む。
【０１２８】
ＰＣ端末２００および３００は、図１で示した構成に加え、通信部２０８を含む。
【０１２９】
入力部２０１は、ユーザＡから、他のユーザへの発信要求を受け付ける。なお、発信要求は、その他のユーザのＰＣ端末の識別子（Ｗ識別子）を含む。
【０１３０】
通信部２０８は、入力部２０１が受け付けた発信要求に、端末記憶部２０３内の識別子をＰ識別子として加える。通信部２０８は、そのＰ識別子を加えた発信要求を呼制御サーバ４００に通知する。
【０１３１】
プレゼンスサーバ１００は、図１で示した構成と同じ構成を有する。
【０１３２】
ルール記憶部１０４は、要求対応ルールをさらに記憶する。要求対応ルールは、発信要求に対する処理を決定するルールである。
【０１３３】
具体的には、要求対応ルールは、発信要求に対する処理が心理的距離ごとに対応付けられている。例えば、「２０」以上の心理的距離には、「ボイスメール装置に接続する」などが対応付けられている。また、「３」以上の心理的距離には、「プレゼンス情報が「多忙」を示す場合、着信を拒否する」などが対応付けられていてもよい。また、呼制御サーバ４００が着信呼のキューイングが可能である場合、要求対応ルールは、「心理的距離が短い発信先を優先的に接続させる」などでもよい。
【０１３４】
受信部１０６は、呼制御サーバ４００から発信要求をさらに受信する。
【０１３５】
制御部１０７は、受信部１０６が呼制御サーバ４００から発信要求を受信すると、ウォッチャリスト記憶部１０３の中で、その発信要求内のＷ識別子に対応付けられた心理的距離に応じて、その発信要求に対する処理を決定する。
【０１３６】
制御部１０７は、その決定した処理で動作する旨の動作指示を呼制御サーバ４００に送信する。
【０１３７】
呼制御サーバ４００は、ＰＣ端末２００および２００のそれぞれから、発信要求を受信すると、その発信要求をプレゼンスサーバ１００に送信する。
【０１３８】
また、呼制御サーバ４００は、プレゼンスサーバ１００から動作指示を受信すると、その動作指示が示す処理を実行する。
【０１３９】
例えば、その動作指示がボイスメールでの接続を示すと、呼制御サーバ４００は、ボイスメール装置５００に、着信要求を送信する。また、その動作指示が接続の不許可を示すと、その発信要求を送信したＰＣ端末との接続を切断する。
【０１４０】
次に動作を説明する。
【０１４１】
図５は、本実施形態のプレゼンスシステムの動作を説明するためのフローチャートである。
【０１４２】
ステップＳ３０１では、入力部２０１は、発信要求を受け付けると、その発信要求を通信部２０８に送信する。通信部２０８は、その発信要求を受信すると、その発信要求を呼制御サーバ４００に送信する。
【０１４３】
ステップＳ３０２では、呼制御サーバ４００がその発信要求を受信する。
【０１４４】
ステップＳ３０３では、呼制御サーバ４００は、その発信要求をプレゼンスサーバ１００の受信部１０６に通知する。
【０１４５】
ステップＳ３０４では、受信部１０６は、その発信要求を受信すると、その発信要求を制御部１０７に送信する。制御部１０７は、その発信要求を受信する。
【０１４６】
ステップＳ３０５では、制御部１０７は、その発信要求内のＷ識別子に対応付けられた心理的距離を、ウォッチャリスト記憶部１０３から取得する。
【０１４７】
ステップＳ３０６では、制御部１０７は、その心理的距離に対応付けられた処理をルール記憶部１０４から取得し、その処理で動作する旨の動作指示を生成する。なお、以下、その処理は、ボイスメールへの転送を示すとする。
【０１４８】
ステップＳ３０７では、制御部１０７は、その動作指示を呼制御サーバ４００の呼制御サーバ４００に送信する。
【０１４９】
ステップＳ３０８では、呼制御サーバ４００は、その動作指示を受信する。
【０１５０】
ステップＳ３０９では、呼制御サーバ４００は、動作指示にて指示される処理を確認し、その処理を実行する。今、その処理は、ボイスメールへの転送を示すので、呼制御サーバ４００は、ボイスメール装置５００に着信要求を送信する。
【０１５１】
ステップＳ３１０では、ボイスメール装置５００は、その着信要求を受信する。
【０１５２】
次に効果を説明する。
【０１５３】
制御部１０７は、プレゼンティティの端末およびウォッチャの端末間の接続要求を受信した場合、その心理的距離に応じて、その接続要求に対する処理を決定する。そして、制御部１０７は、その決定した処理で動作する旨の動作指示を呼制御サーバ４００に送信する。
【０１５４】
この場合、接続要求に対する処理が心理的距離に応じて決定される。したがって、例えば、「２０」以上の心理的距離には、「ボイスメール装置に接続する」など、心理的距離に応じたサービスを提供することが可能になる。
【０１５５】
次に本発明の第三の実施形態について説明する。以下、主に第一の実施形態に追加された構成、機能および動作について説明する。
【０１５６】
図６は、本実施形態のプレゼンスシステムを示したブロック図である。図４において、プレゼンスシステムは、プレゼンスサーバ１００と、ＰＣ端末２００および３００と、呼制御サーバ４００と、ＰＣ端末６００および７００とを含む。
【０１５７】
プレゼンスサーバ１００の受信部１０６は、ＰＣ端末２００、３００、６００および７００のいずれか一つから、複数の識別子と共に、その複数の識別子が特定する複数のＰＣ端末のユーザ間の心理的距離の平均を算出する旨の算出要求を受信する。なお、算出要求は、その複数のＰＣ端末のそれぞれを特定する複数の識別子を含む。
【０１５８】
制御部１０７は、受信部１０６が複数の識別子および算出要求を受信すると、その複数の識別子から、互いに異なる二つの識別子からなる組を全て作る。制御部１０７は、ウォッチャリスト記憶部１０３において、その作った組と対応付けられた心理的距離のそれぞれの平均値を算出する。制御部１０７は、その算出した平均値を、その算出要求を送信したＰＣ端末に返信する。
【０１５９】
なお、ウォッチャリスト記憶部１０３は、格納手段の一例である。また、ウォッチャリスト記憶部１０３では、心理的距離およびＷ識別子が互いに対応付けられたウォッチャリストがＰ識別子ごとに記憶されている。しかしながら、ウォッチャ記憶部１０３では、プレゼンティティおよびウォッチャのそれぞれの端末を特定する二つの識別子からなる組ごとに、その組が、心理的距離と対応付けて記憶しているとみなすことができる。
【０１６０】
ＰＣ端末２００は、図１で示した構成に加え、通信部２０８を含む。
【０１６１】
入力部２０１は、ユーザＡから、複数のＰＣ端末のユーザ間の心理的距離の平均を算出する旨の算出要求を受け付ける。
【０１６２】
算出要求には、グループ通信中のＰＣ端末のユーザ間の心理的距離の平均を算出する旨の現在算出要求と、そのグループ通信中のＰＣ端末と、新たにグループ通信に加えるユーザの候補のＰＣ端末との心理的距離の平均を算出する旨の新算出要求とがある。
【０１６３】
算出要求が新算出要求の場合、入力部２０１は、その新算出要求と共に、その新たにグループ通信に加えるユーザの候補のＰＣ端末の識別子を受け付ける。
【０１６４】
通信部２０８は、電子会議などのグループ通信を行う。通信部２０８は、そのグループ通信を行っている複数のＰＣ端末の識別子を保持する。なお、これらの識別子には、自端末の識別子が含まれる。
【０１６５】
また、通信部２０８は、入力部２０１が受け付けた算出要求をプレゼンスサーバ１００に送信する。このとき、通信部２０８は、入力部２０１が現在算出要求を受け付けると、保持している複数の識別子を現在算出要求と共に送信する。また、通信部２０８は、入力部２０１が新算出要求を受け付けると、保持している複数の識別子と、入力部２０１が受け付けた識別子とを新算出要求と共に送信する。
【０１６６】
また、通信部２０８は、プレゼンスサーバ１００から心理的距離の平均値を受信すると、その心理的距離の平均値を表示部２０２に表示する。
【０１６７】
次に動作を説明する。
【０１６８】
図７は、本実施形態のプレゼンスシステムの動作を説明するためのフローチャートである。なお、端末２００、３００および６００が互いにグループ通信を行っている。また、ＰＣ端末７００のユーザをグループ通信に招集するか否かを判断する場合の動作を説明する。
【０１６９】
ステップＳ４０１では、ＰＣ端末２００の入力部２０１は、ユーザＡから現在算出要求を受け付けると、その現在算出要求を通信部２０８に送信する。
【０１７０】
通信部２０８は、その現在算出要求を受信すると、その現在算出要求と、保持している識別子（端末２００、３００および６００のそれぞれの識別子）とをプレゼンスサーバ１００の受信部１０６に送信する。
【０１７１】
ステップＳ４０２では、受信部１０６は、その現在算出要求および識別子を受信すると、その現在算出要求および識別子を制御部１０７に送信する。制御部１０７は、その現在算出要求および識別子を受信する。
【０１７２】
ステップＳ４０３では、制御部１０７は、その複数の識別子から、互いに異なる二つの識別子からなる組を全て作る。制御部１０７は、ウォッチャリスト記憶部１０３から、その作った組と対応付けられた心理的距離を取得する。制御部１０７は、その取得した心理的距離のそれぞれに基づいて、心理的距離の平均値を算出する。
【０１７３】
ステップＳ４０４では、制御部１０７は、心理的距離の平均値をＰＣ端末２００の通信部２０８に送信する。
【０１７４】
ステップＳ４０５では、通信部２０８は、その心理的距離の平均値を受信すると、その心理的距離の平均値を表示部２０２に表示する。
【０１７５】
ステップＳ４０６では、入力部２０１は、ユーザＡから、新算出要求と、ＰＣ端末７００を特定する識別子とを受け付けると、その新算出要求および識別子を通信部２０８に送信する。
【０１７６】
通信部２０８は、その新算出要求および識別子を受信すると、その新算出要求および識別子と、保持している識別子とをプレゼンスサーバ１００の受信部１０６に送信する。
【０１７７】
ステップＳ４０７では、受信部１０６は、その現在算出要求および識別子を受信すると、その現在算出要求および識別子を制御部１０７に送信する。制御部１０７は、その現在算出要求および識別子を受信する。
【０１７８】
ステップＳ４０８では、制御部１０７は、その複数の識別子から、互いに異なる二つの識別子からなる組を全て作る。制御部１０７は、ウォッチャリスト記憶部１０３から、その作った組と対応付けられた心理的距離を取得する。制御部１０７は、その取得した心理的距離のそれぞれに基づいて、心理的距離の平均値を算出する。
【０１７９】
ステップＳ４０９では、制御部１０７は、心理的距離の平均値をＰＣ端末２００の通信部２０８に送信する。
【０１８０】
ステップＳ４１０では、通信部２０８は、その心理的距離の平均値を受信すると、その心理的距離の平均値を表示部２０２に表示する。
【０１８１】
ステップＳ４１１では、ユーザＡは、ステップＳ４０５で表示された平均値（以下、現平均値と称する）と、ステップＳ４１０で表示された平均値（以下、新平均値と称する）とを比較して、ＰＣ端末７００のユーザＤをグループ通信に招集するか否かを判断する。
【０１８２】
例えば、ユーザＡは、現平均値と新平均値とを比較して、ユーザＤをグループ通信に招集した場合に、電話会議に及ぼす影響を考えて、ユーザＤをグループ通信に招集するか否かを判断する。例えば、ユーザＡは、その値が全くまたはあまり余ずれていなければ、ユーザＤをグループ通信に招集しても、電話会議に影響があまり及ぼさないと考え、ユーザＤをグループ通信に招集すると判断する。
【０１８３】
ユーザＡは、ユーザＤをグループ通信に招集する場合、入力部２０１を用いて、呼制御サーバ４００を介してＰＣ端末７００に発呼する。
【０１８４】
次に効果を説明する。
【０１８５】
本実施形態によれば、受信部１０６は、ＰＣ端末２００から、複数の識別子と共に、その複数の識別子にて特定される複数の端末のユーザ間の心理的距離の平均値を取得する旨の取得指示を受信する。制御部１０７は、受信部１０６が受信した複数の識別子から作ることが可能な互いに異なる二つの識別子からなる組と対応付けられた心理的距離のそれぞれの平均値を算出する。そして、制御部１０７は、その心理的距離の平均値を、ＰＣ端末２００に返信する。
【０１８６】
この場合、複数の端末のユーザ間の心理的距離の平均値が、ＰＣ端末２００に返信される。
【０１８７】
このため、例えば、複数のユーザで電話会議を行なっているときに、新しい参加者を招集する場合、その新しい参加者をグループに招集した場合の心理的平均距離を事前に知ることが可能である。したがって、既存の参加者に確認をせずに、招集の影響を予測することが可能になる。
【０１８８】
次に第四の実施形態について説明する。本実施形態では、プレゼンスサーバ１００の、最も単純な構成を説明する。
【０１８９】
図８は、プレゼンスサーバ１００の構成を示したブロック図である。
【０１９０】
図８において、プレゼンスサーバ１００は、受信部１０６と、制御部１０７と、を含む。なお、プレゼンスサーバ１００は、ＰＣ端末２００および３００と相互に接続可能である。以下、ＰＣ端末２００をウォッチャのＰＣ端末とし、ＰＣ端末３００をプレゼンティティのＰＣ端末とする。
【０１９１】
受信部１０６は、ウォッチャのＰＣ端末２００から、プレゼンティティのウォッチャに対する評価を示すウォッチャ情報を受信する。ウォッチャ情報は、プレゼンティティの前記ウォッチャに対する対Ｗ親密度でもよいし、プレゼンティティがウォッチャに割り当てたグループでもよい。
【０１９２】
制御部１０７は、受信部１０６が受信したウォッチャ情報に応じて、プレゼンティティのウォッチャに対する対Ｗ親密度を求める。制御部１０７は、その対Ｗ親密度をプレゼンティティのＰＣ端末３００に送信する。
【０１９３】
次に効果を説明する。
【０１９４】
本実施形態でも、受信部１０６は、プレゼンティティの端末から、プレゼンティティのウォッチャに対する評価を示すウォッチャ情報として対Ｗグループを受信する。制御部１０７は、その対Ｗグループに応じて、プレゼンティティのウォッチャに対する対Ｗ親密度を求める。そして、制御部１０７は、その求めた対Ｗ親密度をウォッチャの端末に送信する。
【０１９５】
したがって、第一の実施形態と同様に、プレゼンティティおよびウォッチャ間の共同作業の効率を向上させることが可能になる。
【０１９６】
以上説明した各実施形態において、図示した構成は単なる一例であって、本発明はその構成に限定されるものではない。
【０１９７】
例えば、ウォッチャがプレゼンス情報を取得するプレゼンティティを追加する際、１以上の対Ｗグループをプレゼンティティに提案し、プレゼンティティは、その対Ｗグループの中から一つを選択するようにしてもよい。このとき、その選択された対Ｗグループと同じグループが、対Ｐグループとしてプレゼンティティに割り当てられるオファーアンサーモデルを使用してもよい。
【図面の簡単な説明】
【０１９８】
【図１】本発明の一実施形態のプレゼンスシステムを示したブロック図である。
【図２】バディリストにプレゼンス情報を追加するときの動作例を説明するためのシーケンス図である。
【図３】プレゼンス情報を更新するときの動作例を説明するためのシーケンス図である。
【図４】本発明の第二の実施形態のプレゼンスシステムを示したブロック図である。
【図５】本発明の第二の実施形態のプレゼンスシステムの動作例を説明するためのシーケンスチャートである。
【図６】本発明の第三の実施形態のプレゼンスシステムを示したブロック図である。
【図７】本発明の第三の実施形態のプレゼンスシステムの動作例を説明するためのシーケンスチャートである。
【図８】本発明の第四の実施形態のプレゼンスシステムを示したブロック図である。
【符号の説明】
【０１９９】
１００    プレゼンスサーバ
１０１    プレゼンス記憶部
１０２    バディリスト記憶部
１０３    ウォッチャリスト記憶部
１０４    ルール記憶部
１０５    プレゼンス処理部
１０６    受信部
１０７    制御部
２００、３００、６００、７００    プレゼンス端末
２０１    入力部
２０２    表示部
２０３    端末記憶部
２０４    プレゼンティティ部
２０５    ウォッチャ部
２０６    リスト操作部
２０７    心理的距離演算部
２０８    通信部
４００    呼制御サーバ
５００    ボイスメール装置
【図１】
0005258015.tif 000002
【図２】
0005258015.tif 000003
【図３】
0005258015.tif 000004
【図４】
0005258015.tif 000005
【図５】
0005258015.tif 000006
【図６】
0005258015.tif 000007
【図７】
0005258015.tif 000008
【図８】
0005258015.tif 000009